(57)【要約】      （修正有）【課題】ゴルフの際に着衣の袖の下に位置するように上腕に着用することで、腕を振り上げたりした際に生じる着衣による引きつれを簡易に防止することができるアームバンドを提供する。【解決手段】アームバンド１は、使用者の上腕１０に装着される筒状体であって、使用者の着衣の袖よりも摩擦係数が小さく、かつ伸縮可能な生地で構成される。また、アームバンド１は、端縁部近傍に凸部を有してもよい。それにより、腕を曲げた際に、凸部が前腕に接触しているか否か、凸部が前腕１１にどの程度食い込んでいるかによって、使用者はフォームの確認をすることができる。【選択図】図２
0003195190.tif 000002
【実用新案登録請求の範囲】
【請求項１】
使用者の上腕に装着される筒状体であって、
前記使用者の着衣の袖よりも摩擦係数が小さく、かつ伸縮可能な生地で構成されることを特徴とするアームバンド。
【請求項２】
更に、前記生地が、通気性、吸水性または速乾性の少なくとも１つを有することを特徴とする請求項１に記載のアームバンド。
【請求項３】
前記筒状体が、端縁部近傍に凸部を有することを特徴とする請求項１または請求項２に記載のアームバンド。
【請求項４】
前記凸部が、前記上腕と平行な方向に延びた筋状であることを特徴とする請求項３に記載のアームバンド。
【請求項５】
前記筒状体が、係合自在かつ係合位置を調整可能な１対の係合部材を有する帯状体を当該１対の係合部材で環状に連結したものであることを特徴とする請求項１から請求項４のいずれかに記載のアームバンド。
【考案の詳細な説明】
【技術分野】
【０００１】
本考案は、ゴルフの際に着衣の袖の下に位置するように上腕に着用するアームバンドに関するものである。
【背景技術】
【０００２】
ゴルファーがボールを打球する際には、まず、図５（ａ）に示すように、クラブを握った両腕を身体の前側で下げてアドレスをとる。その後、バックスイングを行い、図５（ｂ）に示すようにトップの位置までクラブを振り上げる。その後、上半身を回転させてダウンスイングを行い、図５（ｃ）に示すように体の正面でボールをインパクトし、更にフォロースルーから図５（ｄ）に示すフィニッシュに至る。このように、ゴルフにおいては、アドレス、トップ、バックスイングからフィニッシュに至るまでの極めて短い時間内に、腕を上方に大きく振り上げる動作が行われる。
【０００３】
そこで、スイング時に腕を大きく振り上げたりした際に生じる、着衣による引きつれを解消するゴルフシャツが提案されている（特許文献１参照）。
【先行技術文献】
【特許文献】
【０００４】
【特許文献１】特開２０１２−００７２５２号公報
【考案の概要】
【考案が解決しようとする課題】
【０００５】
しかしながら、特許文献１で提案されているゴルフウェアであっても、汗をかいて着衣の袖が腕に張り付いたことにより生じる引きつれは解消することができないという問題点があった。また、従来のゴルフウェアであれば、汗をかいているときに限らず、汗をかいていないときには腕に袖がひっかかってしまい、スイング時に腕を大きく振り上げたりした際に生じる引きつれが解消できないという問題点があった。
【０００６】
そこで、上記課題に鑑みて、本考案では、ゴルフの際に着衣の袖の下に位置するように上腕に着用することで、腕を振り上げたりした際に生じる着衣による引きつれを簡易に防止することができるアームバンドを提供することを目的とする。
【課題を解決するための手段】
【０００７】
本考案は、上記の課題を解決するために、以下の事項を提案している。なお、理解を容易にするために、本考案の実施形態に対応する符号を付して説明するが、これに限定されるものではない。
【０００８】
（１）  本考案は、使用者の上腕に装着される筒状体であって、前記使用者の着衣の袖よりも摩擦係数が小さく、かつ伸縮可能な生地で構成されることを特徴とするアームバンドを提案している。
【０００９】
この考案によれば、従来のゴルフウェアの袖の下に位置するように、アームバンドを上腕に装着するだけで、腕を振り上げたりした際に生じる着衣による引きつれを簡易に解消することができる。
【００１０】
（２）  本考案は、（１）のアームバンドについて、更に、前記生地が、通気性、吸水性または速乾性の少なくとも１つを有することを特徴とするアームバンドを提案している。
【００１１】
この考案によれば、アームバンドの付け心地をよくすることができる。
【００１２】
（３）  本考案は、（１）または（２）のアームバンドについて、前記筒状体が、端縁部近傍に凸部を有することを特徴とするアームバンドを提案している。
【００１３】
この考案によれば、使用者は、肘を曲げた際に前腕で凸部を感じることで、トップ時での右腕の畳み具合やフィニッシュ時の左腕の畳み具合を知ることができる。その結果、使用者は、正しいフォームを取れているか確認することができる。
【００１４】
（４）  本考案は、（３）のアームバンドについて、前記凸部が、前記上腕と平行な方向に延びた筋状であることを特徴とするアームバンドを提案している。
【００１５】
この考案によれば、肘を曲げた際に前腕で感じた凸部の感触の違いにより、使用者に腕の畳み具合をよりわかりやすくすることができる。
【００１６】
（５）  本考案は、（１）から（４）のアームバンドについて、前記筒状体が、係合自在かつ係合位置を調整可能な１対の係合部材を有する帯状体を当該１対の係合部材で環状に連結したものであることを特徴とするアームバンドを提案している。
【００１７】
この考案によれば、アームバンドは、着脱しやすく、また、上腕の太さに応じてアームバンドの周囲長を変えることでアームバンドの締め付け感を使用者が調節することができる。
【考案の効果】
【００１８】
本考案によれば、アームバンドを、ゴルフの際に衣服の袖の下に位置するように上腕に着用することで、腕を振り上げたりした際に生じる着衣による引きつれを簡易に防止することができる。
【図面の簡単な説明】
【００１９】
【図１】第１の実施形態に係るアームバンドの斜視図である。
【図２】第１の実施形態に係るアームバンドの着用図である。
【図３】第２の実施形態に係るアームバンドの斜視図である。
【図４】第２の実施形態に係るアームバンドの斜視図である。
【図５】ゴルフスイングにおける動作を打球の進行方向の反対側面から見た図である。
【考案を実施するための形態】
【００２０】
以下、図面を用いて、本考案の実施形態について詳細に説明する。なお、本考案形態における構成要素は適宜、既存の構成要素等との置き換えが可能であり、また、他の既存の構成要素との組み合わせを含む様々なバリエーションが可能である。したがって、本実施形態の記載をもって、実用新案登録請求の範囲に記載された考案の内容を限定するものではない。
【００２１】
＜第１の実施形態＞
図１および図２を用いて、第１の実施形態に係るアームバンドについて説明する。図１は本実施例に係るアームバンド１の斜視図を示し、図２は着用図を示す。
【００２２】
アームバンド１は、図１に示すように、筒状体である。アームバンド１は、図２に示すように上腕１０に装着され、使用者の着衣の袖２０と上腕１０の間に位置する。アームバンド１は、上腕の一部または全部を覆うものであればよく、アームバンド１の幅は、５〜１５ｃｍ程度が望ましい。
【００２３】
アームバンド１は、使用者の着衣の袖２０よりも摩擦係数が低く、かつ伸縮性を有する生地で構成され、例えば、ナイロン、レーヨン、綿等およびこれらの組合せた生地である。
【００２４】
使用者はアームバンド１を上腕１０に装着することにより、袖２０と上腕１０とが汗等によって張り付かないようにすることができる。そして、アームバンド１は摩擦係数が低いので、袖２０はアームバンド１に張り付かず滑りやすく、スイングにおいて腕を振り上げたりした際に、袖２０が上腕１０に張り付いたりひっかかったりして生じる引きつれを防止することができる。その結果、スイングが袖２０と上腕１０との張り付きやひっかかりによる着衣の引きつれによってスイングが阻害されることがなくなり、使用者はスムーズにスイングを行うことができる。
【００２５】
また、アームバンド１は伸縮性を有する生地で構成されることにより、アームバンド１が装着されても上腕１０は自由に動くことができ、スイングのスムーズな動きはアームバンド１によって妨げられない。更に、アームバンド１を構成する生地は、通気性、吸水性または速乾性等を有してもよい。それにより、アームバンド１の付け心地をよくすることができる。
【００２６】
図１に示すように本実施形態において、アームバンド１は筒状体に形成されているが、長手方向に丸めて筒状体になる帯状体のものであってもよい。アームバンド１が帯状体である場合には、帯状体は、一側端部近傍に一の係合部材を備え、また、環状にした際に一側端部近傍の一の係合部材が重なりあう位置に一の係合部材と対の係合部材を備える。
【００２７】
一の係合部材または対の係合部材の少なくとも一方を、帯状体に複数設けたり、係合する部分の面積を広くしたりすることで、１対の係合部材の係合位置は調整可能になっている。また、係合部材は、係合自在であって、例えば、面ファスナーである。
【００２８】
アームバンド１を、係合自在であって、かつ係合位置を調整可能である係合部材を備える帯状体とすることで、着脱しやすく、また、上腕の太さに応じてアームバンドの直径を変えることができ、アームバンドの締め付け感を使用者が調節することができる。
【００２９】
以上説明したように、第１の実施形態のアームバンド１は、袖２０が腕に張り付いたり引っかかったりすることにより生じる引きつれを防止し、使用者はスムーズなスイングができる。
【００３０】
＜第２の実施形態＞
図３および図４を用いて、第２の実施形態に係るアームバンド２，３について説明する。アームバンド２，３は、図３および図４に示すように、図１に示した第１の実施形態に係るアームバンド１の筒状体に端縁部近傍に凸部３０を備えたものである。アームバンド２，３は、使用者が肘を曲げた際に上腕１０と前腕１１とが接触する位置に凸部３０（凸部３０ａ、凸部３０ｂを区別しない場合には単に凸部３０とする）が位置するように装着される。このように装着することで、肘を曲げると凸部３０に前腕１１が接触し、更に肘を曲げ続けると凸部３０が前腕１１に食い込んでくるようにすることができる。
【００３１】
スイングにおいて、トップの位置までクラブを振り上げた際には、図５（ｂ）に示すように右腕の肘は９０度程度曲がっているのが理想の正しいフォームとされている。アームバンド２，３を右腕の上腕１０に装着することで、右腕が９０度程度また９０度以上曲がっているかを、凸部３０が前腕１１に接触しているか否か、凸部３０が前腕１１にどの程度食い込んでいるかによって判断することができる。
【００３２】
また、スイングにおいて、フィニッシュの際には、図５（ｄ）に示すように左肘が９０度以上曲がるのが理想の正しいフォームとされている。アームバンド２，３を左腕に装着することで、左腕が９０度程度また９０度以上曲がっているかを、凸部３０が前腕１１に接触しているか否か、凸部３０が前腕１１にどの程度食い込んでいるかによって判断することができる。
【００３３】
アームバンド２，３は袖２０の下に装着されるために、凸部３０は、袖２０を挟んでも前腕１１で凸部３０の感触がわかるような大きさおよび硬さである。また、凸部３０は、少なくとも、肘を９０度程度曲げた際に前腕１１に接触する高さがあればよい。更に、凸部３０は、腕を傷つけたり邪魔になったりしないように可撓性を有する素材で形成されるのが望ましく、例えば、ゴムや合成樹脂で形成される。
【００３４】
例えば、図３に示すように、凸部３０ａは、直径１ｃｍ高さ１ｃｍ程度の円柱形状で、人が力を加えても変形しない程度の硬さのゴムである。
【００３５】
また、図４に示すように、凸部３０ｂは、上腕１０と平行な方向に延びる筋状である。凸部３０ｂを筋状とすることにより、凸部３０の食い込みの程度がわかりにくい使用者には、肘を曲げた際に前腕１１で感じる凸部３０の面積の違いにより、腕の畳み具合をよりわかりやすくすることができる。
【００３６】
なお、凸部３０は、図３および図４に示すように１つであってもよいし、複数の凸部の集合体であってもよい。
【００３７】
以上説明したように、第２の実施形態のアームバンド２は、前腕１１で感じる凸部３０の感触によって、トップ時での右腕の畳み具合や、フィニッシュ時の左腕の畳み具合を確認することができる。
【００３８】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００３９】
１                      アームバンド
１０                    上腕
１１                    前腕
２０                    袖
３０，３０ａ，３０ｂ    凸部
【図１】
0003195190.tif 000003
【図２】
0003195190.tif 000004
【図３】
0003195190.tif 000005
【図４】
0003195190.tif 000006
【図５】
0003195190.tif 000007